(57)【要約】【課題】カメラ付き携帯用端末機の撮影方法を提供する。【解決手段】カメラ付き装置において撮影する対象の視線を集中させるための方法において、映像を撮影するための撮影キー信号を受信して撮影する時間を知らせるセルフタイマ音を再生し、該セルフタイマ音の再生後、撮影の直前に撮影を知らせる準備音を再生し、前記準備音再生の後、撮影時点において撮影を知らせるシャッター音を再生し、前記シャッター音の再生と同時に映像を撮影する過程を含む。【選択図】図２
2004361961.tif 000002
【特許請求の範囲】
【請求項１】
カメラ付き携帯用端末機の撮影方法において、
映像を撮影するための撮影キー信号を受信する過程と、
前記撮影キー信号を受信して撮影する時間を知らせるセルフタイマ音を再生する過程と、
前記セルフタイマ音再生の後、撮影の直前に撮影を知らせる準備音を再生する過程と、
前記準備音再生の後、撮影時点で撮影を知らせるシャッター音を再生する過程と、
前記シャッター音の再生と同時に映像を撮影する過程と、を含むことを特徴とする方法。
【請求項２】
カメラ付き携帯用端末機の撮影方法において、
映像を撮影するための撮影キー信号を受信する過程と、
前記撮影キー信号を受信して撮影の直前に撮影を知らせる準備音を再生する過程と、
前記準備音再生の後、撮影時点で撮影を知らせるシャッター音を再生する過程と、
前記シャッター音の再生と同時に映像を撮影する過程と、を含むことを特徴とする方法。
【請求項３】
前記準備音を再生する過程は、
前記撮影キー信号を受信して撮影する時間を知らせるセルフタイマ音を再生する過程と、
前記セルフタイマ音再生の後、前記準備音を再生する過程と、を含むことを特徴とする請求項２に記載の方法。
【請求項４】
映像を撮影するための撮影キー信号を発生するキー入力部と、前記映像を撮影するためのカメラとを備えた携帯用端末機の撮影方法において、
撮影する対象の視線を集中させるための撮影効果を設定する過程と、
前記撮影キー信号を受信すると、前記設定に応じた撮影効果を表示する過程と、を含むことを特徴とする方法。
【請求項５】
前記撮影効果を設定する過程は、
撮影時間を音で知らせるセルフタイマ音、撮影をあらかじめ知らせる準備音、撮影を知らせるシャッター音のうち少なくとも一つの音を設定する過程と、
前記セルフタイマ音、前記準備音、前記シャッター音を表示するための順序を設定する過程と、
視線を集中させるためのフラッシュの点灯を設定する過程と、
前記セルフタイマ音、前記準備音、前記シャッター音のうち少なくとも一つの音と同時に前記フラッシュを点灯するように設定する過程と、を含むことを特徴とする請求項４に記載の方法。
【請求項６】
前記フラッシュの点灯を設定する過程は、タイマ設定によって１秒ごとに一つの色が点灯されるよう、複数の色のうち少なくとも一つを選択する過程を含むことを特徴とする請求項５に記載の方法。
【請求項７】
撮影時間を音で知らせるセルフタイマ音の設定は、
あらかじめ設定された時間のうち少なくとも一つの時間を選択する過程と、
前記セルフタイマ音を再生するための時間を直接設定する過程と、を含むことを特徴とする請求項５に記載の方法。
【請求項８】
前記フラッシュ点灯は、時間別に異なる色で点灯されることを特徴とする請求項５に記載の方法。
【請求項９】
前記セルフタイマ音は、設定されない場合基本値に設定されることを特徴とする請求項５に記載方法。
【請求項１０】
前記セルフタイマ音は、基本値が５秒であることを特徴とする請求項９に記載の方法。
【請求項１１】
前記撮影効果を表示する過程は、
撮影キー信号を受信して撮影の直前に撮影を知らせる準備音を再生する過程と、
前記準備音再生の後、撮影時点で撮影を知らせるシャッター音を再生する過程と、を含むことを特徴とする請求項４に記載の方法。
【請求項１２】
前記準備音を再生する過程は、準備音が再生される前に撮影する時間を知らせるセルフタイマ音が再生される段階を含むことを特徴とする請求項１１に記載の方法。
【発明の詳細な説明】
【技術分野】
【０００１】
本発明は、カメラ付きの装置に関し、特に、前記カメラ撮影に際して撮影する対象の視線を集中させるためのカメラ付き携帯用端末機の撮影方法に関する。
【背景技術】
【０００２】
近来、携帯用端末機は、基本的な通話機能に加えて様々な機能が付加されつつあり、特に、カメラを備えることによって、映像に関連した多くの付加機能を持つようになった。通常、撮影者が前記カメラを使って撮影する時、撮影される人々(以下、被写体と略す)は撮影者の音声または身振りなどから撮影時点を把握し、そのカメラに視線を集中するのが一般であった。そこで、本発明は、カメラ付き装置における撮影効果を利用して被写体の視線を集中させられる方法を提案する。
【発明の開示】
【発明が解決しようとする課題】
【０００３】
本発明の目的は、カメラ付き装置において、前記カメラを使って撮影するさい被写体の視覚及び聴覚を刺激して視線を集中させられる方法を提供することにある。
【課題を解決するための手段】
【０００４】
上記の目的を達成するべく、本発明は、カメラ付き携帯用端末機の撮影方法において、映像を撮影するための撮影キー信号を受信する過程と、前記撮影キー信号を受信して撮影する時間を知らせるセルフタイマ音を再生する過程と、前記セルフタイマ音再生の後、撮影の直前に撮影を知らせる準備音を再生する過程と、前記準備音再生の後、撮影時点で撮影を知らせるシャッター音を再生する過程と、前記シャッター音の再生と同時に映像を撮影する過程と、を含むことを特徴とする。
【０００５】
また、本発明は、カメラ付き携帯用端末機の撮影方法において、映像を撮影するための撮影キー信号を受信する過程と、前記撮影キー信号を受信して撮影の直前に撮影を知らせる準備音を再生する過程と、前記準備音再生の後、撮影時点で撮影を知らせるシャッター音を再生する過程と、前記シャッター音の再生と同時に映像を撮影する過程と、を含むことを特徴とする。
【０００６】
また、本発明は、映像を撮影するための撮影キー信号を発生するキー入力部と、前記映像を撮影するためのカメラとを備えた携帯用端末機の撮影方法において、撮影する対象の視線を集中させるための撮影効果を設定する過程と、前記撮影キー信号を受信すると、前記設定に応じた撮影効果を表示する過程と、を含むことを特徴とする。
【発明の効果】
【０００７】
上述した如く、本発明は、カメラ付き装置において視覚及び聴覚効果を用いて被写体となる人々の視線を集中させて撮影できるため、所望の映像が得られるという利点がある。
【発明を実施するための最良の形態】
【０００８】
以下、本発明に係る好ましい実施例を添付図面を参照しつつ詳細に説明する。下記の説明では、本発明に係る動作に対する理解を助ける部分だけが説明され、それ以外の部分に対する説明は、本発明の要旨を曖昧にするのを防ぐべく省略するものとする。本発明で言及している撮影効果とは、撮影に先立って被写体の視線を集中させられる視覚的または聴覚的効果のことを意味する。また、本発明は、一実施例としてカメラ付き携帯用端末機を例示しているが、前記携帯用端末機はもとより、カメラ付き装置ならいずれも適用可能である。
【０００９】
図１は、本発明の一実施例に係るカメラ付き携帯用端末機の内部構成図である。
図１を参照すれば、無線(ＲＦ：Radio Frequency)部１２１は、携帯用端末機の通信を行う。該無線部１２１は、送信される信号の周波数をアップコンバート及び増幅する無線送信機と、受信される信号を低雑音増幅して周波数をダウンコンバートする無線受信機などを含む。データ処理部１２３は、前記送信される信号を符号化及び変調する送信機及び前記受信される信号を復調及び復号化する受信機などを備える。前記データ処理部１２３は、モデム(MODEM)及びコデックス(CODEC)などで構成されることができる。オーディオ処理部１２５は、前記データ処理部１２３から出力される受信オーディオ信号を再生したりマイクから発生する送信オーディオ信号を前記データ処理部１２３に転送する機能を行う。
【００１０】
キー入力部１２７は、数字及び文字情報を入力するためのキー及び各種機能を設定するためのファンクションキーを備える。前記各種ファンクションキーは、撮影効果設定モードキー、効果設定モードキー、タイマ設定モードキーなどを意味する。これらのファンクションキーはそれぞれのモードに切り換えるために設定されたり選択されたりするキーであり、ナビゲーションキー、数字キー、文字キーなどを利用でき、これらのキーの組合せでもファンクションキーの役割を果たすことができる。
【００１１】
メモリ１２９は、プログラムメモリ及びデータメモリで構成される。前記プログラムメモリには携帯用端末機の一般的な動作を制御するためのプログラムを格納することができる。また、前記データメモリは、前記プログラムを行う途中に生じるデータを一時格納したり、外部から入力されるデータを格納する機能を行う。また、前記データメモリは、設定された撮影効果を格納する。
【００１２】
フラッシュ１５１は、多段発光ダイオード(Light Emitting Diode：ＬＥＤ)などを使用することができる。前記多段発光ダイオードは、多様な色の光を発することができる。カメラ１５０は、映像を撮影する場合、撮影された光信号を電気的信号に変換するカメラセンサーを備える。ここで前記カメラセンサーはＣＣＤセンサーと仮定する。信号処理部１６０は、前記カメラ１５０から入力される映像信号をイメージ信号に変換する。ここで前記信号処理部１６０はデジタル信号処理器(Digital Signal Processor：ＤＳＰ)で具現できる。映像処理部１７０は、前記信号処理部１６０から出力されるイメージ信号を表示するための画面データを発生する機能を行う。該映像処理部１７０は、制御部１１０の制御の下に受信される映像信号を表示部１８０の規格に合わせて転送し、映像データを圧縮及び伸張する。
【００１３】
前記制御部１１０は、データ処理部１２３を含むことができ、携帯用端末機の全般的な動作を制御する機能を行う。また、前記制御部１１０は、前記キー入力部１２７からのキー信号を受けて携帯用端末機の内部構成要素を制御できる。表示部１８０は、液晶表示装置(ＬＣＤ)などを使用することができ、前記映像処理部１７０から送られてきた映像信号を画面上に表示し、前記メモリ１２９に格納されたデータを表示できる。
【００１４】
図２は、本発明の一実施例に係るカメラ付き携帯用端末機において撮影効果を設定する流れ図である。図３は、図１において、表示部に表示される情報を示す図である。図１ないし図３を参照して、被写体の視線を集中させるために設定する撮影効果について説明する。
【００１５】
まず、２０１段階において、前記制御部１１０は前記キー入力部１２７からキー信号が入力されるか検査する。この検査の結果、前記入力されるキー信号が撮影効果設定モードキー信号でなければ初期状態を維持し、前記キー信号が前記撮影効果設定モードキー信号なら前記制御部１１０は２０３段階に進む。前記撮影効果設定モードキー信号は、使用者が前記キー入力部１２７の撮影効果設定モードキーを押すことで発生するキー信号であり、この撮影効果設定モードキーは、前記撮影効果設定モードに進入するためのキーである。その後、前記２０３段階において、前記制御部１１０は撮影効果設定モードに切り換え、その撮影効果設定モードを表示するように前記表示部１８０を制御し、２０５段階に進む。これにより、前記表示部１８０は、図３の(ａ)のように前記撮影効果設定モードを表示できる。前記撮影効果設定モードは被写体の視線を集中させるためのモードであり、このモードにおいて使用者は被写体の視覚または聴覚を刺激させるための効果を設定する。
【００１６】
その後、２０５段階において、前記制御部１１０は前記キー入力部１２７からキー信号が入力されるか検査する。この検査の結果、前記入力されるキー信号が効果設定キー信号でなければ２２３段階に進み、前記キー信号が前記効果設定キー信号なら前記制御部１１０は２０７段階に進む。前記効果設定キー信号は、使用者が前記キー入力部１２７の効果設定キーを押すことで発生するキー信号であり、該効果設定キーは、効果を設定できる環境に切り換えるためのキーである。前記２０７段階において、前記制御部１１０は、効果設定モードに切り換え、前記効果設定モードを表示するように前記表示部１８０を制御し、２０９段階に進む。これにより、前記表示部１８０は、図３の(ｂ)のように前記効果設定モードを表示できる。前記効果設定モードは被写体の視覚または聴覚を刺激できる効果を設定するモードである。
【００１７】
次いで、２０９段階において、前記制御部１１０は、前記キー入力部１２７からキー信号が入力されるか検査する。この検査の結果、前記入力されるキー信号が動作設定キー信号でなければ２１５段階に進み、前記キー信号が前記動作設定キー信号なら前記制御部１１０は２１１段階に進む。この２１１段階において、前記制御部１１０は動作設定に切り換え、前記動作設定を表示できるように前記表示部１８０を制御し、２１３段階に進む。これにより、前記表示部１８０は図３の(ｃ)のように前記動作設定を表示できる。
【００１８】
次いで、前記２１３段階において、前記制御部１１０は動作を設定し、２２１段階に進む。ここで、図３の(ｃ)に示すように、前記動作設定は４つの動作設定を持つことができる。この４つの動作設定のうち３つは、セルフタイマ音、準備音、シャッター音の組合せからなる動作である。前記セルフタイマ音は、撮影時点以前までの時間に発生した音であり、前記準備音は、前記撮影時点の直前に発生した音であり、前記シャッター音は前記撮影時点において発生する音である。例えば、図３の(ｃ)において使用者が“（１）セルフタイマ音/準備音/シャッター音”を設定すると、撮影のさい、前記制御部１１０は前記セルフタイマ音、前記準備音、前記シャッター音の順に音を鳴らせるように前記オーディオ処理部１２５を制御する。また、使用者が“（２）準備音/シャッター音”を設定すると、撮影のさい、前記制御部１１０は前記準備音、前記シャッター音の順に音を鳴らせるように前記オーディオ処理部１２５を制御する。また、使用者が“（３）シャッター音”を選択すると、撮影のさい、前記制御部１１０は前記シャッター音のみを鳴らせるように前記オーディオ処理部１２５を制御する。前記セルフタイマ音は、タイマ設定モードにおいて設定されている場合に使用可能であり、使用者が前記タイマ設定モードを設定しなかった場合は基本値(例えば、５秒)で動作する。
【００１９】
前記４つの動作設定のうち残りの“（４）使用者定義”は、図３の(ｆ)のように示され、この使用者定義において使用者は任意に動作設定ができる。前記使用者定義は、音順序変更とオプション追加などを含む。音順序変更とは、前記セルフタイマ音、前記準備音、前記シャッター音の順序を変更するということを意味する。そして、前記オプション追加においては、前記セルフタイマ音、前記準備音、前記シャッター音のほか、フラッシュ１５１の機能を追加できる。例えば、タイマ設定モードにおいて、例えば５秒と設定されたら、撮影にあたり使用者の設定によって５秒間前記フラッシュ１５１を点灯できる。また前記フラッシュ１５１は、５秒間１秒当たり１つの色、つまり合計５つの色を点灯できる。例えば、使用者が前記使用者定義において青色、赤色、黄色、紫色、白色を設定すると、前記制御部１１０は、タイマが作動する撮影時点から５秒前に青色、４秒前に赤色、３秒前に黄色、２秒前に紫色、１秒前に白色を点灯するように前記フラッシュ１５１を制御できる。そして前記セルフタイマ音、前記準備音、前記シャッター音のうち少なくとも１つの音と同時に前記フラッシュ１５１が点灯できるように使用者が設定できる。
【００２０】
一方、２１５段階において、前記制御部１１０は、前記キー入力部１２７からキー信号が入力されるか検査する。この検査の結果、前記入力されるキー信号が音設定キー信号でなければ前記２０７段階に戻り、前記キー信号が前記音設定キー信号なら前記制御部１１０は２１７段階に進む。前記２１７段階において、前記制御部１１０は音設定に切り換え、この音設定を表示するように前記表示部１８０を制御し、２１９段階に進む。これにより、前記表示部１８０は図３の(ｄ)のように前記音設定を表示できる。次いで、前記２１９段階において、前記制御部１１０は音設定をし、２２１段階に進む。図３の(ｄ)に示すように、前記音設定は、前記セルフタイマ音、前記準備音、前記シャッター音などを含む。前記セルフタイマ音は、撮影時点以前に時間を知らせる音であり、数字をカウントする人の音声(例えば、前記時間を５秒とすれば、撮影５秒前に“ご(５)”、撮影４秒前に“よん(４)”、撮影３秒前に“さん(３)”、撮影２秒前に“に(２)”、撮影１秒前に“いち(１)”という人の音声)または、特殊音(例えば、前記時間を３秒とすれば、撮影３秒前に“ブウブウ”、撮影時点２秒前に“ブウブウ”、撮影時点１秒前に“ブウブウ”という特殊音)がスピーカーから再生できる。前記準備音は、撮影の直前であることを知らせる音であり、例えば、“スマイル”、“チーズ”、“キムチ”、“いきますよ”などの音声であり得る。前記シャッター音は、撮影時点を知らせる音であり、例えば、“カシャッ”、“オッケー(ＯＫ)”、“よし”などの音をスピーカーから再生できる。これらの音の設定は人の声で直接録音して使用するといい。
【００２１】
一方、前記２２３段階において、前記制御部１１０は前記キー入力部１２７からキー信号が入力されるか検査する。この検査の結果、前記入力されるキー信号がタイマ設定モードキー信号でなければ前記２０３段階に戻り、前記キー信号が前記タイマ設定モードキー信号なら前記制御部１１０は前記２２５段階に進む。この２２５段階において、前記制御部１１０はタイマ設定モードに切り換え、このタイマ設定モードを表示するように前記表示部１８０を制御し、２２７段階に進む。これにより、前記表示部１８０は、図３の(ｅ)のように前記タイマ設定モードを表示できる。
【００２２】
次いで、２２７段階において、前記制御部１１０はタイマを設定した後、２２１段階に進む。図３の(ｅ)に示すように、使用者は、５秒、１０秒のうちいずれかを設定してもよく、使用者設定を通じて任意(例えば、３秒、２０秒など)にタイマを設定してもいい。前記２２１段階において、前記制御部１１０は撮影効果設定モードにおいて設定された効果を格納するように前記メモリ１２９を制御し、２２９段階に進む。この２２９段階において、前記制御部１１０は前記撮影効果設定モードが終了されるか検査する。前記撮影効果設定モードが終了されないとその撮影効果設定モードが終了されるまで前記２０３段階に戻ってこれまでの過程を繰り返し行う。一方、前記撮影効果設定モードが終了されると前記制御部１１０は終了する。
【００２３】
図４は、本発明の一実施例に係るカメラ付き携帯用端末機において設定された撮影効果による制御方法を示す流れ図である。図１及び図４を参照して撮影効果設定モードにおいて設定された効果の制御流れを説明する。
【００２４】
４０１段階において、前記制御部１１０は前記キー入力部１２７からキー信号が入力されるか検査する。この検査の結果、前記入力されるキー信号が撮影キー信号でなければ初期状態を維持し、前記キー信号が前記撮影キー信号なら前記制御部１１０は４０３段階に進む。この４０３段階において、前記制御部１１０はセルフタイマ音が設定されたか検査する。この検査結果、前記セルフタイマ音が設定されなかった場合は４０７段階に進み、前記セルフタイマ音が設定されたら前記制御部１１０は４０５段階に進む。この４０５段階において、前記制御部１１０は前記セルフタイマ音を再生するようにオーディオ処理部１２５を制御し、４０７段階に進む。一方、前記セルフタイマ音が設定されなかった場合は、前記制御部１１０は前記セルフタイマ音を再生しない。
【００２５】
前記４０７段階において、前記制御部１１０は準備音が設定されたか検査する。この検査の結果、前記準備音が設定されなかった場合は前記制御部１１０は前記準備音を再生することなく４１１段階に進み、前記準備音が設定されたら前記制御部１１０は４０９段階に進む。この４０９段階において、前記制御部１１０は前記準備音を再生するように前記オーディオ処理部１２５を制御し、４１１段階に進む。
【００２６】
この４１１段階において、前記制御部１１０はシャッター音が設定されたか検査する。この検査の結果、前記シャッター音が設定されなかった場合は前記制御部１１０は前記シャッター音を再生することなく４１５段階に進み、前記シャッター音が設定されたら前記制御部１１０は４１３段階に進む。この４１３段階において、前記制御部１１０は、前記シャッター音を再生するように前記オーディオ処理部１２５を制御し、４１５段階に進む。この４１５段階において、前記制御部１１０は映像を撮影するように前記カメラ１５０を制御する。ここで、前記シャッター音が設定された場合は、前記制御部１１０は前記シャッター音と同時に映像を撮影できる。このような動作を具体的な例に上げて以下に説明する。
【００２７】
この具体的な例を説明するに先立ち、設定された撮影効果の現在状態を仮定する。設定された撮影効果において動作設定は、使用者定義においてセルフタイマ音/準備音/シャッター音の順序を選択したと仮定する。また、オプション追加において前記フラッシュ１５１は１秒ごとに点灯すると仮定する。前記フラッシュ１５１を点灯する方法に対し、点灯色の順序は青色、赤色、黄色、紫色、白色とする。また、音設定に対し、使用者がセルフタイマ音として人の声を設定し、タイマを５秒に設定し、準備音としてチーズという人の声を設定し、シャッター音として“カシャッ”という音を設定したとの仮定の下に説明する。
【００２８】
前記キー入力部１２７から撮影キー信号が入力されると、前記制御部１１０は撮影５秒前に人の声である“ご(５)”を再生するように前記オーディオ処理部１２５を制御すると同時に、青色を点灯するように前記フラッシュ１５１を制御する。また、前記制御部１１０は撮影４秒前に人の声である“よん(４)”を再生するように前記オーディオ処理部１２５を制御すると同時に、赤色を点灯するように前記フラッシュ１５１を制御する。また、前記制御部１１０は撮影３秒前に人の声である“さん(３)”を再生するように前記オーディオ処理部１２５を制御すると同時に、黄色を点灯するように前記フラッシュ１５１を制御する。また、前記制御部１１０は撮影２秒前に人の声である“に(２)”を再生するように前記オーディオ処理部１２５を制御すると同時に、紫色を点灯するように前記フラッシュ１５１を制御する。また前記制御部１１０は撮影１秒前に人の声である“いち(１)”を再生するように前記オーディオ処理部１２５を制御すると同時に、白色を点灯するように前記フラッシュ１５１を制御する。そして前記制御部１１０は撮影直前に人の声である“チーズ”を再生するように前記オーディオ処理部１２５を制御する。そして前記制御部１１０は撮影時点で“カシャッ”という音を再生するように前記オーディオ処理部１２５を制御する。これで映像が撮影される。
【００２９】
一方、本発明の詳細な説明では具体的な実施例に上げて説明してきたが、本発明の範囲を外れない限度内で様々な変形が可能であることは言うまでもない。例えば、カメラ付き携帯用端末機は通常、プレビュー機能を持っているため、前記映像はプレビュー画面に表示され、その中で希望する映像があれば使用者はその映像を撮影すればいい。撮影効果を設定するに当たって使用者はプレビュー画面において前記撮影効果を設定することができる。すなわち、使用者が前記セルフタイマ音、前記準備音、前記シャッター音だけでなく、前記フラッシュ１５１の点灯、タイマ設定などを前記プレビュー画面を見ながら設定できる。使用者が前記プレビュー画面において前記撮影効果を設定した後、前記キー入力部１２７から撮影キー信号が入力されると、前記制御部１１０は設定された撮影効果に応じて動作する。したがって、本発明の範囲は説明された実施例によって限定されるものではなく、特許請求の範囲及びこの特許請求の範囲と均等なものにより定められるべきである。
【図面の簡単な説明】
【００３０】
【図１】本発明の一実施例に係るカメラ付き携帯用端末機の内部構成図。
【図２】本発明の一実施例に係るカメラ付き携帯用端末機において撮影効果を設定する流れ図。
【図３】図１において、表示部に表示される情報を示す図。
【図４】本発明の一実施例に係るカメラ付き携帯用端末機において設定された撮影効果による制御方法を示す流れ図。
【符号の説明】
【００３１】
１１０・・・制御部、１２３・・・データ処理部、１２５・・・オーディオ処理部、１２７・・・キー入力部、１２９・・・メモリ、１５０・・・カメラ、１５１・・・フラッシュ、１６０・・・信号処理部、１７０・・・映像処理部、１８０・・・表示部。
【図１】
2004361961.tif 000003
【図２】
2004361961.tif 000004
【図３】
2004361961.tif 000005
【図４】
2004361961.tif 000006